(57)【特許請求の範囲】
【請求項１】
帽子であって、
前記帽子の外面を構成する本体生地と、
前記本体生地の内側の面において前記本体生地と重なる、複数の穴が設けられたアルミニウム箔と、
前記アルミニウム箔の内側の面において前記アルミニウム箔と重なり、前記帽子の内面を構成する裏生地と、を備え、
前記帽子の頭部を覆うクラウン部の天面に対応する前記アルミニウム箔の面に設けられる複数の穴の密度は、前記帽子の前記クラウン部の側面に対応する面に設けられる複数の穴の密度より大きく、
前記アルミニウム箔は、前記本体生地と前記裏生地との間に挟まれ、
前記本体生地と前記裏生地とが縫い合わされている、
帽子。
【請求項２】
前記穴の形は、円形である、
請求項１に記載の帽子。
【請求項３】
前記複数の穴は、等間隔で並んでいる、
請求項２に記載の帽子。
【請求項４】
前記クラウン部と、前記クラウン部から外方に突出した鍔部とを備え、
前記クラウン部に前記アルミニウム箔が設けられている、
請求項１〜３のいずれか１項に記載の帽子。
【請求項５】
さらに、前記鍔部に前記アルミニウム箔が設けられている、
請求項４に記載の帽子。
【請求項６】
前記クラウン部の全体に、前記本体生地と前記裏生地とを備え、
前記クラウン部の後方に、前記アルミニウム箔を備えない、
請求項４または５に記載の帽子。
【請求項７】
中折れ帽、キャップ、キャスケットまたはハンチングである、
請求項１〜６のいずれか１項に記載の帽子。
【請求項８】
帽子の製造方法であって、
前記帽子の外面を構成する本体生地と、
前記本体生地の内側の面において前記本体生地と重なる、複数の穴が設けられたアルミニウム箔と、
前記アルミニウム箔の内側の面において前記アルミニウム箔と重なり、前記帽子の内面を構成する裏生地とを準備し、
前記帽子の頭部を覆うクラウン部の天面に対応する前記アルミニウム箔の面に設けられる複数の穴の密度が、前記帽子の前記クラウン部の側面に対応する面に設けられる複数の穴の密度より大きくなるように前記アルミニウム箔に穴を設け、
前記アルミニウム箔を、前記本体生地と前記裏生地との間に挟み、
前記本体生地と前記裏生地とを縫い合わせる、
帽子の製造方法。
【発明の詳細な説明】
【技術分野】
【０００１】
本開示は、太陽光等による熱を遮断し、かつ通気性が高い帽子に関するものである。
【背景技術】
【０００２】
特許文献１において、表生地と裏生地との間にアルミニウム箔を挿入し、太陽光等による熱を遮断する新型のむぎわら帽子が開示されている。
【先行技術文献】
【特許文献】
【０００３】
【特許文献１】実用新案登録第３１４０２５９号公報
【発明の概要】
【発明が解決しようとする課題】
【０００４】
しかしながら、特許文献１に開示される新型のむぎわら帽子では、通気性を確保することが難しい。
【０００５】
そこで、本開示は、太陽光等による熱を遮断し、かつ、通気性が高い帽子を提供する。
【課題を解決するための手段】
【０００６】
本開示の一態様に係る帽子は、前記帽子の外面を構成する本体生地と、前記本体生地の内側の面において前記本体生地と重なる、複数の穴が設けられたアルミニウム箔と、前記アルミニウム箔の内側の面において前記アルミニウム箔と重なり、前記帽子の内面を構成する裏生地と、を備え、前記帽子の頭部を覆うクラウン部の天面に対応する面に設けられる複数の穴の密度は、前記帽子の前記クラウン部の側面に対応する前記アルミニウム箔の面に設けられる複数の穴の密度より大きく、前記アルミニウム箔は、前記本体生地と前記裏生地との間に挟まれ、前記本体生地と前記裏生地とが縫い合わされている。
【発明の効果】
【０００７】
本開示の一態様に係る帽子は、太陽光等による熱を遮断し、かつ、通気性の高さを実現することができる。
【図面の簡単な説明】
【０００８】
【図１】図１は、本開示の実施の形態に係る帽子の構造を示す図である。
【図２Ａ】図２Ａは、本開示の実施の形態に係る帽子の遮熱の様子を示す図である。
【図２Ｂ】図２Ｂは、本開示の実施の形態に係る帽子の通気の様子を示す図である。
【図３】図３は、本開示の実施の形態に係る帽子の遮熱性試験の結果を示す表である。
【図４】図４は、本開示の実施の形態に係る帽子の紫外線遮蔽率と近赤外線分光遮蔽率を示す表である。
【図５】図５は、本開示の実施の形態に係る帽子の形態の例を示す図である。
【発明を実施するための形態】
【０００９】
ユーザの頭部を覆うクラウン部と、クラウン部から外方に突出した鍔部とを、本体生地により構成し、本体生地の内側の面において、穴の空いたアルミニウム箔を本体生地に重ねる。また、アルミニウム箔の内側の面において、裏生地をアルミニウム箔に重ねる。これにより、アルミニウム箔によって太陽光等による熱を遮断しつつ、アルミニウム箔に空けられた穴によって通気性が確保される。
【実施例】
【００１０】
以下、図面に従って、一実施例を説明する。
【００１１】
［構造］
まず、本開示の実施の形態に係る帽子の構造について説明する。図１は、本開示の実施の形態に係る帽子１の構造を示す図である。なお、図１では、内部構造を示すために、帽子１は、透視図として描かれている。帽子１は、本体生地１０と、アルミニウム箔２０と、裏生地３０とを備える。アルミニウム箔２０には、穴２０ａが設けられている。
【００１２】
本体生地１０は、木綿、ウール、麻、植物性の材料、または、ポリエステル等の化学繊維で実現される、帽子１の外面を構成する布地である。本体生地１０は、例えば、フェルト生地またはニット生地であってもよい。本体生地１０は、１枚の布であってもよいし、複数のパーツから構成されていてもよい。本体生地１０は、帽子１のクラウン部１ａと鍔部１ｂとの外面を構成する。ここで、クラウン部１ａとは、ユーザの頭部を覆う帽子１の側面と上面とを構成する部分である。そして、鍔部１ｂとは、クラウン部１ａから外方に突出した部分である。
【００１３】
アルミニウム箔２０は、アルミニウムを圧延により薄くのばしたものである。例えば、アルミニウム箔２０は、厚さが０．００６ｍｍ〜０．２ｍｍでもよい。また、アルミニウム箔２０は、片面がコーティング加工されていてもよい。また、アルミニウム箔２０は、ラミネート加工されていてもよい。
【００１４】
アルミニウム箔２０に設けられる穴の形は、円形である。なお、アルミニウム箔２０に設けられる穴の形は、多角形であってもよい。また、アルミニウム箔２０に設けられる穴２０ａの数は、複数である。なお、アルミニウム箔２０に設けられる穴２０ａは１つでもよい。アルミニウム箔２０に設けられる複数の穴２０ａは、等間隔に並んでいる。例えば、アルミニウム箔２０に、直径が５ｍｍの円形の穴２０ａが１ｃｍ間隔で並んでいてもよい。なお、アルミニウム箔２０に設けられる複数の穴２０ａは、等間隔に並んでいなくてもよい。例えば、アルミニウム箔２０に設けられる複数の穴２０ａは、不均一に並んでいてもよいし、ランダムに並んでいてもよい。例えば、クラウン部１ａの天面に対応する面に設けられる複数の穴２０ａの密度（単位面積当たりの個数）は、クラウン部１ａの側面に対応する面に設けられる複数の穴２０ａの密度よりも大きくてもよい。
【００１５】
裏生地３０は、木綿、ウール、麻、植物性の材料、または、ポリエステル等の化学繊維で実現される、帽子１の内面を構成する布地である。裏生地３０は、例えば、メッシュ生地であってもよい。裏生地３０は、１枚の布であってもよいし、複数のパーツから構成されていてもよい。裏生地３０は、帽子１のクラウン部１ａと鍔部１ｂとの内面を構成する。
【００１６】
帽子１において、本体生地１０が帽子１の外面を構成し、本体生地１０の内側の面において、穴２０ａが設けられたアルミニウム箔２０が本体生地１０と重なる。そして、裏生地３０は、アルミニウム箔２０の内側の面において、アルミニウム箔２０と重なる。裏生地３０は、帽子１の内面を構成する。
【００１７】
なお、帽子１は、クラウン部１ａの一部に、アルミニウム箔２０を備えなくてもよい。例えば、帽子１は、クラウン部１ａの後方１８０°にアルミニウム箔２０を備えなくてもよい。図１には、クラウン部１ａの後方１８０°にアルミニウム箔２０を備えない帽子１が図示されている。
【００１８】
次に、帽子１の製造手順を説明する。まず、クラウン部１ａの外側側面を、本体生地１０を裁断して準備する。次に、クラウン部１ａの外側上面を、本体生地１０を裁断して準備し、クラウン部１ａの外側側面と縫い合わす。ここで、クラウン部１ａの外側部分が完成する。
【００１９】
そして、クラウン部１ａの内側側面を、裏生地３０を裁断して準備する。次に、クラウン部１ａの内側上面を、裏生地３０を裁断して準備し、クラウン部１ａの内側上面と縫い合わす。ここで、クラウン部１ａの内側部分が完成する。なお、クラウン部１ａの外側部分の製造と、クラウン部１ａの内側部分の製造とは、順序が逆であってもよい。
【００２０】
次に、クラウン部１ａの外側部分と、クラウン部１ａの内側部分との間に、穴２０ａが設けられ適切な形状に裁断されたアルミニウム箔２０を挟んだ状態で、クラウン部１ａの外側部分と、クラウン部１ａの内側部分とを縫い合わす。このとき、クラウン部１ａの一部にアルミニウム箔２０が備えられないような形状に、アルミニウム箔２０が裁断され、クラウン部１ａの外側部分と、クラウン部１ａの内側部分との間に挿入されてもよい。また、裏生地３０は、落とし裏生地として、本体生地１０と縫い合わされてもよい。
【００２１】
続いて、本体生地１０を裁断して鍔部１ｂの外側部分を準備する。そして、裏生地３０を裁断して鍔部１ｂの内側部分を準備する。鍔部１ｂの外側部分と、鍔部１ｂの内側部分との間に、適切な形状に裁断されたアルミニウム箔２０を挟んだ状態で、鍔部１ｂの外側部分と、鍔部１ｂの内側部分とを縫い合わす。なお、鍔部１ｂの製造とクラウン部１ａの製造との順序は逆でもよい。また、鍔部１ｂにアルミニウム箔２０が備えられなくてもよい。また、鍔部１ｂに備えられたアルミニウム箔２０に穴２０ａが設けられなくてもよいし、穴２０ａが設けられてもよい。
【００２２】
そして、クラウン部１ａの側面の下端に、鍔部１ｂを縫い合わす。このとき、クラウン部１ａに挿入されたアルミニウム箔２０もともに縫い合わしてもよいし、縫い合わさなくてもよい。ここで、帽子１が完成する。
【００２３】
［遮熱と通気］
次に、帽子１の遮熱と通気とについて説明する。図２Ａは、本開示の実施の形態に係る帽子１の遮熱の様子を示す図である。帽子１のアルミニウム箔２０は、アルミニウムの各種熱線をよく反射するという性質により、太陽光等による熱を遮断する。また、アルミニウム箔２０は、アルミニウムの赤外線または紫外線等の光線をよく反射するという性質により太陽光等による光も遮断する。帽子１の遮熱性能については、後述する。
【００２４】
図２Ｂは、本開示の実施の形態に係る帽子の通気の様子を示す図である。帽子１のアルミニウム箔２０は、穴２０ａが設けられていることにより、通気性を有する。具体的には、帽子１は、アルミニウム箔２０に設けられた穴２０ａから、帽子１の内部にこもった湿気を外部に放出することができる。
【００２５】
続いて、帽子１の遮熱性能について詳述する。図３は、本開示の実施の形態に係る帽子１の遮熱性試験の結果を示す表である。ＪＩＳ  Ｌ  １９５１「生地の遮熱性評価方法」による遮熱性試験を行った結果、帽子１の遮熱性能は、図３に示される結果となった。比較例である本体生地１０からなる（つまり、アルミニウム箔を有さない）帽子は、遮熱率が２２％であり、ＪＩＳ  Ｌ  １９５１による区分記号は、Ｓ１５であった。ここで、区分記号は、Ｓ６５＋、Ｓ５５、Ｓ４５、Ｓ３５、Ｓ２５、Ｓ１５、および、Ｓ１５−であり、順に遮熱性能が低くなる。
【００２６】
本開示の帽子１に相当する帽子であって、本体生地１０および穴２０ａの設けられていないアルミニウム箔２０からなる帽子は、遮熱率が６７％であり、ＪＩＳ  Ｌ  １９５１による区分記号は、Ｓ６５＋であった。よって、本開示の帽子１は、十分な遮熱性能を有する。また、本開示の帽子１に相当する帽子であって、本体生地１０および穴２０ａが設けられているアルミニウム箔２０からなる帽子は、遮熱率が６２％であり、ＪＩＳ  Ｌ  １９５１による区分記号は、Ｓ５５であった。よって、本開示の帽子１は、通気性を確保すするためにアルミニウム箔２０に穴２０ａを設けた場合でも、十分な遮熱性能を有する。
【００２７】
次に、本開示の帽子１に相当する帽子であって、本体生地１０および穴２０ａの設けられていないアルミニウム箔２０からなる帽子の紫外線遮蔽率と近赤外線分光遮蔽率について述べる。図４は、本開示の実施の形態に係る帽子の紫外線遮蔽率と近赤外線分光遮蔽率を示す表である。本体生地１０および穴２０ａの設けられていないアルミニウム箔２０からなる帽子の紫外線遮蔽率は９９．９％以上であり、近赤外線分光遮蔽率は９９．２％である。
【００２８】
［形態］
次に、本開示の帽子１の具体的な形態について説明する。図５は、本開示の実施の形態に係る帽子の形態の例を示す図である。帽子１は、中折れ帽（図５の（ａ））、キャップ（図５の（ｂ））、キャスケット（図５の（ｃ））、ハンチング（図５の（ｄ））、または、ヘルメット（図５の（ｅ））の形態をとる。なお、帽子１は、麦わら帽子、ニット帽または山高帽等であってもよく、上記以外の帽子の形態をとってもよい。
【００２９】
図５の（ａ）に示されるように、中折れ帽とは、クラウン部１ａに「クリース」と呼ばれる窪みを有し、クラウン部１ａの前方に、「つまみ」と呼ばれる尖部を有する帽子である。また、中折れ帽において、鍔部１ｂは前部が下がり、後部が高い。なお、中折れ帽は、上記の特徴を厳密に有さなくてもよい。
【００３０】
また、図５の（ｂ）に示されるように、キャップとは、縁がない帽子であり、鍔部１ｂを有するものを含む。例えば、キャップは、縁が無く、クラウン部１ａの前部に鍔部１ｂを有する。なお、キャップは、上記の特徴を厳密に有さなくてもよい。
【００３１】
また、図５の（ｃ）に示されるように、キャスケットとは、複数枚の布地で構成された丸みを帯びたクラウン部１ａを有し、前部に鍔部１ｂを有する帽子である。なお、キャスケットは、上記の特徴を厳密に有さなくてもよい。
【００３２】
また、図５の（ｄ）に示されるように、ハンチングとは、１枚または複数枚の布地で構成された縦長の形状のクラウン部１ａを有し、クラウン部１ａの前部に鍔部１ｂを有する帽子である。なお、ハンチングは、上記の特徴を厳密に有さなくてもよい。
【００３３】
また、図５の（ｅ）に示されるように、ヘルメットとは、金属またはプラスチック等で構成された兜形の帽子である。本開示の帽子１の形態は、フルフェイス型のヘルメットでもよいし、オープン型のヘルメットでもよい。なお、ヘルメットは、上記の特徴を厳密に有さなくてもよい。
【００３４】
［効果等］
本開示の帽子１は、帽子１の外面を構成する本体生地１０と、本体生地１０の内側の面において本体生地１０と重なる、穴２０ａが設けられたアルミニウム箔２０と、アルミニウム箔２０の内側の面においてアルミニウム箔２０と重なる裏生地３０と、を備える。
【００３５】
これにより、帽子１は、太陽光等による熱を遮断しつつ、通気性を確保することができる。
【００３６】
また、例えば、帽子１において、穴２０ａの形は、円形である。
【００３７】
これにより、帽子１は、効率的に、通気性を確保することができる。
【００３８】
また、例えば、帽子１において、穴２０ａの数は、複数である。
【００３９】
これにより、帽子１は、効率的に、通気性を確保することができる。
【００４０】
また、例えば、帽子１において、複数の穴２０ａは、等間隔で並んでいる。
【００４１】
これにより、帽子１は、効率的に、通気性を確保することができる。
【００４２】
また、例えば、帽子１は、頭部を覆うクラウン部１ａと、クラウン部１ａから外方に突出した鍔部１ｂとを備え、クラウン部１ａにアルミニウム箔２０が設けられている。
【００４３】
これにより、クラウン部１ａにだけアルミニウム箔２０を設けることで、帽子１は、太陽光等による熱の遮断および通気性の確保を、経済的に実現することができる。
【００４４】
また、例えば、帽子１において、さらに、鍔部１ｂにアルミニウム箔２０が設けられている。
【００４５】
これにより、帽子１は、太陽光等による熱の遮断および通気性の確保を、より効果的に実現することができる。
【００４６】
また、例えば、帽子１において、クラウン部１ａの後方に、アルミニウム箔２０が設けられていない。
【００４７】
これにより、帽子１は、太陽光等による熱を遮断した上で、より確実に通気性を確保することができる。
【００４８】
また、例えば、帽子１は、中折れ帽、キャップ、キャスケットまたはハンチングである。
【００４９】
これにより、帽子１は、様々な用途に用いられることができる。
【００５０】
以上、本開示の帽子について、実施の形態に基づいて説明したが、本開示は、この実施の形態に限定されるものではない。本開示の趣旨を逸脱しない限り、当業者が思いつく各種変形を本実施の形態に施したものや、異なる実施の形態における構成要素を組み合わせて構築される形態も、本開示の範囲内に含まれる。
【符号の説明】
【００５１】
１  帽子
１０  本体生地
２０  アルミニウム箔
２０ａ  穴
３０  裏生地
【要約】
【課題】本開示は、太陽光等による熱を遮断し、かつ、通気性が高い帽子を提供する。
【解決手段】帽子１は、帽子１の外面を構成する本体生地１０と、本体生地１０の内側の面において本体生地１０と重なる、穴２０ａが設けられたアルミニウム箔２０と、アルミニウム箔２０の内側の面においてアルミニウム箔２０と重なる裏生地３０と、を備える。
【選択図】図１【図１】
0006840417.tif 000002
【図２Ａ】
0006840417.tif 000003
【図２Ｂ】
0006840417.tif 000004
【図３】
0006840417.tif 000005
【図４】
0006840417.tif 000006
【図５】
0006840417.tif 000007